(57)【要約】      （修正有）【課題】一般的な素材から構成され、屋内外で数十年を経た後にも記載内容が判読でき、なおかつ容易に偽造されない耐候性偽造防止ラベルを提供する。【解決手段】対象物を管理するための情報を文字、数字、記号および図形のいずれか又はそれらの組み合わせ（文字等Ｃ）により記載するためのラベルであって、上面に文字等Ｃが記載されるシート状の基材層１を有し、前記文字等Ｃは、切り込み２により形成される文字等と、インキ又は塗料（インキ等３）により形成される同じ文字等との重ね合わせによって構成される。【選択図】図１
2008015473.tif 000002
【特許請求の範囲】
【請求項１】
対象物を管理するための情報を文字、数字、記号および図形のいずれか又はそれらの組み合わせ（以下、文字等（Ｃ）とよぶ）により記載するためのラベルであって、
上面に文字等（Ｃ）が記載されるシート状の基材層（１）を有し、
前記文字等（Ｃ）は、切り込み（２）により形成される文字等と、インキ又は塗料（以下、インキ等（３）とよぶ）により形成される同じ文字等との重ね合わせによって構成されることを特徴とする耐候性偽造防止ラベル。
【請求項２】
前記インキ等（３）の一部又は全部が、前記切り込み（２）の中に入り込んでいることを特徴とする請求項１記載の耐候性偽造防止ラベル。
【請求項３】
切り込み（２）を入れるための刃にインキ等（３）を付着させ、切り込み（２）を入れると同時にインキ等（３）により文字等（Ｃ）を形成することを特徴とする耐候性偽造防止ラベルの製造方法。
【発明の詳細な説明】
【技術分野】
【０００１】
本発明は、管理番号等を記載して対象物に貼付されるラベルに関する。
【背景技術】
【０００２】
従来、種々の管理のために、管理番号等の情報を文字、数字、記号および図形のいずれか又はそれらの組み合わせ（以下、文字等とよぶ）によりラベルに印刷して対象物に貼付することが行われているが、このラベルが長期間にわたり用いられる場合、印刷が消えて記載内容が判読できなくなることが問題となる。中でも、固定資産税管理のための家屋調査済証や、各戸の水道の水栓番号が記載されたラベル、あるいはサッシ等に貼付される製造番号が記載されたラベルは、家屋の新築時より30年〜50年程度の間貼付されたままとなり、また貼付される場所が屋外である場合も多いことから、一般的な印刷方法によって印刷されたものでは耐候性が不十分である。このように屋外で使用されるラベル類の耐候性を向上させるものとしては、文献１において、セラミックや紫外線吸収剤等の特殊な材料を用いた車体用ラベルが提案されている。
【特許文献１】特開２００２−３１１８７４号公報
【０００３】
しかしながら、文献１の発明は、車体用とされていることから、数十年単位の使用を前提としたものではなく、またセラミックや紫外線吸収剤等の特殊な材料を用いるため費用が高くなるという問題がある。
【０００４】
一方、最近では複写機等の技術が進歩していることから、こうした管理用のラベルの偽造も問題となっている。また、一部地域において、書籍の販売の際に販売を証明するラベルを貼り、ラベルがない書籍の古書店での買取りを禁止することで万引きを防止する取組みがなされているが、この場合においてもやはりラベルの偽造が問題となる。このようなラベルの偽造対策としては、例えば特許文献２のような偽造防止媒体が提案されている。
【特許文献２】特開２００５−４３７３６号公報
【０００５】
しかしながら、文献２の発明は、レーザー照射による特殊な製造工程が必要となることから費用が高くなるという問題がある。
【発明の開示】
【発明が解決しようとする課題】
【０００６】
本発明は、上記事情を鑑みたものであり、一般的な素材から構成され、屋内外で数十年を経た後にも記載内容が判読でき、なおかつ容易に偽造されない耐候性偽造防止ラベルを提供することを目的とする。
【課題を解決するための手段】
【０００７】
本発明のうち請求項１の発明は、対象物を管理するための情報を文字等により記載するためのラベルであって、上面に文字等が記載されるシート状の基材層を有し、前記文字等は、切り込みにより形成される文字等と、インキ又は塗料（以下、インキ等とよぶ）により形成される同じ文字等との重ね合わせによって構成されることを特徴とする。
【０００８】
また、請求項２の発明は、前記インキ等の一部又は全部が、前記切り込みの中に入り込んでいることを特徴とする。
【０００９】
さらに、請求項３の発明は、切り込みを入れるための刃にインキ等を付着させ、切り込みを入れると同時にインキ等により文字等を形成することを特徴とする。
【発明の効果】
【００１０】
本発明のうち請求項１の発明によれば、文字等を切り込みによって形成するため、印刷されたインキ等が長い期間を経て退色したり剥離したりした後でも、記載内容を判読することができる。また、切り込みは複写機等で複写することができないので、偽造が困難となる。よって、対象物を長期間にわたり管理しなければならない場合に用いる管理用のラベルとして好適である。
【００１１】
本発明のうち請求項２の発明によれば、請求項１の発明の効果に加えて、切り込みの中に入り込んだインキ等が日光や摩擦から守られ、平面に印刷した場合に比べてインキ等の退色や剥離が抑えられ、鮮明な状態で判読できる期間を延ばすことができる。
【００１２】
本発明のうち請求項３の発明によれば、切り込み加工とインキ等の印刷を同時に行うことで、製造工程を減らし、手間と費用を低減することができる。
【発明を実施するための最良の形態】
【００１３】
本発明のラベルの具体的な構成について、各図面に基づいて説明する。
【００１４】
図１に示すのは、本発明のラベルの第一実施形態であり、（ａ）はラベルの全体図および文字等Ｃ部分の拡大図、（ｂ）は拡大部分のＡ−Ａ線断面図である。第一実施形態は、本発明を水栓番号表示ラベル１０に適用したものであり、基材層１の上面に切り込み２によって文字等Ｃが形成されており、さらにその上から印刷によりインキ３が塗布されている。切り込み２は直線状で複数本が平行に並んでおり、基材層１を貫通しない深さである。なお、図１においては文字等Ｃのみを印刷しているが、背景色を全面に印刷した上からさらに文字等Ｃを印刷してもよい。また、印刷にはインキのほか塗料を用いてもよい。
【００１５】
このように切り込み２の上から印刷によりインキ３を塗布すると、切り込み２の中にインキ３の一部が入り込む（浸入インキ３ａ）。浸入インキ３ａは日光や摩擦から守られるため、平面に印刷した場合に比べて退色や剥離が抑えられる。また、浸入インキ３ａが退色・剥離してしまっても、切り込み２が消えることはないため、いつまでも文字等Ｃが判読可能である。さらに、ラベルを複写機で複写しても切り込み２を複写することはできないため、ラベルの偽造防止の効果も有する。また、切り込み２が基材層１を貫通していないので、切り込み２によりラベルの強度が損なわれない。さらに、雨水等が表面側から裏面側へ浸透することがないため、屋外での使用にも適する。
【００１６】
基材層１の素材としては、一般にラベルに用いられるものであればどのようなものであってもよいが、特に屋外で使用する場合、ＰＥＴやＰＶＣ等のプラスチックフィルム又はアルミ等の金属が好適である。また、書籍等の商品に貼付する場合、価格や作業性および廃棄やリサイクルの観点から、紙が好適である。このように形成されるラベルは、基材層１の下面に接着剤を塗布して対象物に貼付したり、孔を開けて紐で対象物に結びつけたりして使用する。
【００１７】
また、図２に示すのは本発明のラベルの第二実施形態であり、切り込み２により形成された文字等Ｃ部分の拡大図である。第二実施形態では、複数の円形の切り込み２によって文字等Ｃが形成されている。切り込み２の形状は、円形以外に三角形や四角形であってもよいし、星形等もっと複雑な形状であってもよい。切り込み２を複雑な形状にすれば、より偽造が困難となる。
【００１８】
さらに、図３に示すのは本発明のラベルの第三実施形態の断面図である。第三実施形態は、第一実施形態と比べて印刷と切り込みの加工の順序が逆になっており、基材層１の上面に印刷によりインキ３を塗布して文字等Ｃを描き、インキ３の上から切り込み２を入れる。
【００１９】
また、図４に示すのは本発明のラベルの第四実施形態の断面図である。第四実施形態では、基材層１の上面に切り込み２によって文字等Ｃが形成され、その上から印刷によりインキ３が塗布され、さらにその上に透明なプラスチックフィルムをラミネートすることにより、表面層４を設ける。表面層４により、文字等Ｃが記載された基材層１が直接外気に触れなくなるので、さらに耐候性が向上する。
【００２０】
なお、表面層４のプラスチックフィルムの種類はどのようなものであってもよいが、基材層１もプラスチックフィルムである場合は、基材層１および表面層４を異なる素材とすると、収縮率の違いからラベルが反ってしまうため、同じ素材とすることが望ましい。
【００２１】
さらに、図５に示すのは本発明のラベルの第五実施形態の断面図である。第五実施形態では、基材層１の上面に印刷によりインキ３を塗布して文字等Ｃを描き、インキ３の上から切り込み２を入れ、その上に透明なプラスチックフィルムをラミネートすることにより表面層４を設け、さらに基材層１の下面に粘着剤層５を設け、剥離紙６により保護する。このようにラベルを構成すると、剥離紙６を剥がすだけで簡単に対象物に貼付することができる。
【００２２】
粘着剤層５の粘着剤としては、アクリル系のものやゴム系のもの等、一般に用いられるものから自由に選ぶことができる。さらに、剥離紙６としては、紙の表面にシリコーン加工を施した一般的なものが用いられるが、使用前に粘着剤層５を保護し、使用時に簡単に剥がすことができるものであれば、剥離フィルム等他の材料からなるものであっても構わない。
【００２３】
また、図６に示すのは本発明のラベルの第六実施形態の断面図である。第六実施形態は、基材層１の上面に切り込み２によって文字等Ｃが形成され、その上から印刷によりインキ３が塗布され、さらに基材層１の下面に粘着剤層５を設け、剥離紙６により保護するものであるが、切り込み２が基材層１および粘着剤層５を貫通する。切り込み２をこのように形成すると、いつまでも文字等Ｃが判読可能であることに加えて、一旦貼付してから剥がそうとしても切り込み２部分でちぎれてしまう。よって、ラベルが剥がされた事実の有無を確認することができるため、書籍等の商品の販売証明に用いることができ、あるいは、ドア、各種機器の筐体のふた、マンホールのふた等に貼付しておくことで、開閉の事実の有無を確認することができる。
【００２４】
図７に示すのは本発明のラベルの第七実施形態であり、上記の販売証明ラベル２０の例である。（ａ）はラベルの全体図であり、（ｂ）はＡ−Ａ線断面図である。ラベルの中央には文字等Ｃ（「証」の字）が直線状の切り込み２により形成され、さらにその切り込み２に合わせてインキ３が印刷される。基材層１は純白ロール紙や模造紙等の薄地タック紙からなり、下面に粘着材層５を設け、剥離紙６により保護される。本実施例では切り込み２が基材層１および粘着材層５を貫通しており、また基材層１が薄いため、インキ３が切り込み２の下端まで浸入している。このように形成された販売証明ラベル２０は、切り込み２により偽造が困難であり、なおかつ一旦貼付されると、剥がそうとしても切り込み２で切れてしまうためきれいに剥がすことができない。よって、書籍等を販売した際にその書籍に貼付することで、正規に購入された品であることを証明することができる。
【００２５】
なお、上記実施形態は一例であり、印刷と切り込みの加工順序、表面層の有無、粘着剤層および剥離紙の有無はどのように組み合わせられてもよい。また、切り込みによって形成されるのはどのような文字等であってもよい。さらに、本発明を偽造防止の目的で使用する際には、ホログラム等の既存の偽造防止手段と併用することでより効果を高めることができる。
【００２６】
本発明のラベルは、水栓番号表示ラベルや家屋調査済証等の各種管理用ラベル、種々の製品の製造番号等を表示するラベルや、ドア、各種機器の筐体のふた、マンホールのふた等を封印するためのラベルとして用いられる。また、書籍等の販売時に商品に本ラベルを貼ることで、その商品が正規に購入されたことを証明し、万引きを防止する目的で用いることもできる。
【００２７】
以下において、本発明の耐候性偽造防止ラベルの製造工程を説明する。図８に示すのは、第一製造工程例の概念図である。第一製造工程例は、原紙２２が基材層のみからなる場合であり、原紙２２が巻き付けられた原紙ロール２１から原紙２２が送り出され、種々の加工を施される。第一製造工程例は、字入れ、印刷、乾燥、裁断の四工程からなる。
【００２８】
第一工程は、字入れである。原紙２２が原紙ロール２１から送り出され、字入れ用の雄型１１ａおよび雌型１１ｂに送られる。原紙２２は雄型１１ａと雌型１１ｂで挟み込まれ、文字等が切り込みにより形成される。
【００２９】
第二工程は、印刷である。原紙２２が平圧式印刷機１２に送られ、切り込みにより形成された文字等に重ねて同じ文字等が印刷される。
【００３０】
第三工程は、乾燥である。原紙２２が紫外線照射機１３に送られ、紫外線を照射されることで、印刷されたインキが瞬時に乾燥する。
【００３１】
第四工程は、裁断である。原紙２２がカッター１４に送られ、所定の箇所で切断され、製品ラベル２３が完成する。
【００３２】
また、図９に示すのは、第二製造工程例の概念図である。第二製造工程例は、原紙２２が基材層、粘着剤層および剥離紙からなる場合である。第二製造工程例は、印刷、乾燥、字入れ、ラミネート、打ち抜き、裁断の六工程からなる。
【００３３】
第一工程は、印刷である。原紙２２が輪転式印刷機１５に送られ、文字等が印刷される。
【００３４】
第二工程は、乾燥である。第一製造工程例の場合と同様、原紙２２が紫外線照射機１３に送られ、紫外線を照射されることで、印刷されたインキが瞬時に乾燥する。
【００３５】
第三工程は、字入れである。原紙２２がプレス機１６に送られ、プレス機に設けられた刃によって、印刷された文字等に重ねて切り込みが形成される。
【００３６】
第四工程は、ラミネートである。ラミネートロール３１からラミネートフィルム３２が送り出され、原紙２２の表面に積層される。
【００３７】
第五工程は、打ち抜きである。原紙２２が打ち抜き機１７に送られ、基材層および粘着剤層が所定の形状に打ち抜かれる。打ち抜いたラベルの周辺部分である打ち抜き片３４は、回収ロール３３により回収される。
【００３８】
第六工程は、裁断である。原紙２２がカッター１４に送られ、剥離紙が所定の箇所で切断され、製品ラベル２３が完成する。
【００３９】
さらに、上記の字入れと印刷の工程を一度に行うこともできる。すなわち、印刷機の版面に切り込みを入れるための刃を設け、その刃にインキを付着させることで、ラベルに切り込みを入れると同時に、切り込みの中にインキが浸入する。この際、使用される刃はどのようなものであってもよいが、腐食刃であれば、微細な図形等も再現できるため望ましい。
【００４０】
なお、上記製造工程は一例であり、各工程で用いられる機器や方法は上記のものに限定されない。例えば、印刷機は平圧式のものや輪転式のもののほか、どのようなものであってもよく、印刷の方法も、凸版印刷、フレキソ印刷、オフセット印刷、グラビア印刷等の一般的な方法の中から、基材層の素材や印刷する文字等の内容に合わせて適切なものを自由に選ぶことができる。切り込みの加工についても、雄型と雌型で挟み込む方法や、プレス機に設けた刃による方法のほか、どのようなものであってもよく、用いる刃の種類も、腐食刃やトムソン刃等から自由に選ぶことができる。
【００４１】
また、各工程の順序は上記と異なるものであってもよい。例えば、印刷したインキを乾燥させてから切り込みを入れると、切り込みの中にインキが浸入しないが、印刷後乾燥させる前に切り込みを入れると、切り込みの中にインキが浸入し、浸入インキによる効果が得られる。
【００４２】
さらに、各工程は必要に応じて省略・追加してもよい。例えば、第二製造工程例の打ち抜きにおいて、基材層、粘着剤層および剥離紙を打ち抜き、それを製品ラベルとしてもよい。また、ラベルの用途に応じて、エンボス加工や金属箔の箔押し加工等、別の工程を追加することもできる。
【図面の簡単な説明】
【００４３】
【図１】本発明の耐候性偽造防止ラベルの全体図と文字等部分の拡大図および断面図。
【図２】第二実施形態の文字等部分の拡大図。
【図３】第三実施形態の断面図。
【図４】第四実施形態の断面図。
【図５】第五実施形態の断面図。
【図６】第六実施形態の断面図。
【図７】第七実施形態の全体図および断面図。
【図８】第一製造工程例を示す概念図。
【図９】第二製造工程例を示す概念図。
【符号の説明】
【００４４】
１  基材層
２  切り込み
３  インキ
Ｃ  文字等
【図１】
2008015473.tif 000003
【図２】
2008015473.tif 000004
【図３】
2008015473.tif 000005
【図４】
2008015473.tif 000006
【図５】
2008015473.tif 000007
【図６】
2008015473.tif 000008
【図７】
2008015473.tif 000009
【図８】
2008015473.tif 000010
【図９】
2008015473.tif 000011